(57)【特許請求の範囲】
【請求項１】
後桟枠の両側に、直角に後側桟枠を着脱自在に設けると共に、この両後側桟枠に前側桟枠を着脱自在に連設し、更にこの両前側桟枠に、上部桟枠と下部桟枠からなる上下方向に２つ折り又は２分割可能な前桟枠を着脱自在に横設して、上記後桟枠、後側桟枠、前側桟枠及び前桟枠による囲撓枠を形成し、この囲撓枠の内側中間部にベッド用底板を着脱自在に設け、更に囲撓枠の内側底部に２枚の収納用底板を着脱自在に並設し、且つ囲撓枠の下部四隅にキャスターを設けて移動可能なベビーベッドを構成すると共に、上記ベッド用底板、両前側桟枠又は両後側桟枠、収納用底板及び各キャスターを一旦除去し、上記後桟枠、両前側桟枠又は両後側桟枠、前桟枠によって矩形状の桟枠を形成すると共に、前桟枠の上部桟枠を除去又は上部桟枠を下部桟枠側に垂らし、更に上記桟枠の内側中間部に上記収納用底板を内設してベンチを構成できるようにし、更にこのベンチの上部内側に更に収納用底板を設けてラックに組み換えできるようにしたことを特徴とする他用途組み換え可能なベビーベッド。
【請求項２】
後桟枠の両側に、直角に後側桟枠を着脱自在に設けると共に、この両後側桟枠に前側桟枠を着脱自在に連設し、更にこの両前側桟枠に、上部桟枠と下部桟枠からなる上下方向に２つ折り又は２分割可能な前桟枠を着脱自在に横設して、上記後桟枠、後側桟枠、前側桟枠及び前桟枠による囲撓枠を形成し、この囲撓枠の内側中間部にベッド用底板を着脱自在に設けてベビーベッドを構成すると共に、上記ベッド用底板、両前側桟枠又は両後側桟枠、及び収納用底板を一旦除去し、上記後桟枠、両前側桟枠又は両後側桟枠、前桟枠によって矩形状の桟枠を形成すると共に、前桟枠の上部桟枠を除去又は上部桟枠を下部桟枠側に垂らし、更に上記桟枠の内側中間部に上記収納用底板を内設してベンチを構成できるようにし、更にこのベンチの上部内側に更に収納用底板を設けてラックに組み換えできるようにしたことを特徴とする他用途組み換え可能なベビーベッド。
【発明の詳細な説明】
【０００１】
【産業上の利用分野】
本発明は他の用途に再利用できる他用途組み換え可能なベビーベッドに関するものである。
【０００２】
【従来の技術】
従来からベビーベッドにも各種のものがあり、乳児を寝かせておくのに使用されている。そして乳児期を過ぎてベビーベッドが不要になると、各家庭では分解して押入れ等に保管しているのが現状である。
【０００３】
【発明が解決しようとする課題】
ところが、ベビーベッドは分解しても嵩ばるものであり、押入れや物置等に保管するにも、その収納に苦慮しているのが現状であり、この不要になったベビーベッドを再利用できないものかと考えられていた。
【０００４】
本発明は上記のような点に鑑みて開発されたものであり、その目的とするところは、通常はベビーベッドとして使用し、ベビーベッドが不要になったときには、誰にでも簡単に組み換えしてベンチやラックとして再利用できるようにした他用途組み換え可能なベビーベッドを提供することにある。
【０００５】
【課題を解決するための手段】
そこで、本発明は上記目的を達成するために、次のような構成にしてある。すなわち、後桟枠の両側に、直角に後側桟枠を着脱自在に設けると共に、この両後側桟枠に前側桟枠を着脱自在に連設し、更にこの両前側桟枠に、上部桟枠と下部桟枠からなる上下方向に２つ折り又は２分割可能な前桟枠を着脱自在に横設して、上記後桟枠、後側桟枠、前側桟枠及び前桟枠による囲撓枠を形成し、この囲撓枠の内側中間部にベッド用底板を着脱自在に設け、更に囲撓枠の内側底部に２枚の収納用底板を着脱自在に並設し、且つ囲撓枠の下部四隅にキャスターを設けて移動可能なベビーベッドを構成すると共に、上記ベッド用底板、両前側桟枠又は両後側桟枠、収納用底板及び各キャスターを一旦除去し、上記後桟枠、両前側桟枠又は両後側桟枠、前桟枠によって矩形状の桟枠を形成すると共に、前桟枠の上部桟枠を除去又は上部桟枠を下部桟枠側に垂らし、更に上記桟枠の内側中間部に上記収納用底板を内設してベンチを構成できるようにし、更にこのベンチの上部内側に更に収納用底板を設けてラックに組み換えできるようにした構成である。
【０００６】
また、後桟枠の両側に、直角に後側桟枠を着脱自在に設けると共に、この両後側桟枠に前側桟枠を着脱自在に連設し、更にこの両前側桟枠に、上部桟枠と下部桟枠からなる上下方向に２つ折り又は２分割可能な前桟枠を着脱自在に横設して、上記後桟枠、後側桟枠、前側桟枠及び前桟枠による囲撓枠を形成し、この囲撓枠の内側中間部にベッド用底板を着脱自在に設けてベビーベッドを構成すると共に、上記ベッド用底板、両前側桟枠又は両後側桟枠、及び収納用底板を一旦除去し、上記後桟枠、両前側桟枠又は両後側桟枠、前桟枠によって矩形状の桟枠を形成すると共に、前桟枠の上部桟枠を除去又は上部桟枠を下部桟枠側に垂らし、更に上記桟枠の内側中間部に上記収納用底板を内設してベンチを構成できるようにし、更にこのベンチの上部内側に更に収納用底板を設けてラックに組み換えできるようにした構成である。
【０００７】
【作用】
上記のような請求項１に記載の構成では、通常はベッド内のベッド用底板の部分に乳児を寝かせる。各桟枠の何れかを押すことによってキャスターが転動し、このベビーベッドを移動させることができる。
【０００８】
また、乳児が大きくなり、このベビーベッドが不要になった時には、ベビーベッドを構成するベッド用底板、両前側桟枠又は両後側桟枠、収納用底板及び各キャスターを外してベビーベッドを分解する。そして後桟枠、両前側桟枠又は両後側桟枠、前桟枠によって矩形状の桟枠を形成すると共に、前桟枠の上部桟枠を除去するか、又は上部桟枠を手前に引いて下部桟枠側に折りたたんで垂らす。更に上記桟枠の内側中間部に、ベビーベッドから除去した収納用底板を内設してベンチを構成することができる。
【０００９】
更に、上記のようにして組み換えたベンチに収納用底板を所定間隔を以て上下に並設することによって、２段のラックに組み換えることができる。勿論、ベビーベッドを分解して直接上記のラックに組み換えてもよい。また、必要に応じてベンチからラックへ、或いはラックからベンチへ簡単に組み換えることができる。
【００１０】
また、請求項２に記載の構成では、キャスターを有していないが請求項１に記載のベビーベッドと同様に通常はベッド内のベッド用底板の部分に乳児を寝かせる。
【００１１】
また、乳児が大きくなり、このベビーベッドが不要になった時には、辞意雨期と同様にベビーベッドをベンチに組み換えすることができる。
【００１２】
更に、上記のようにして組み換えたベンチを上記と同様にしてラックに組み換えることもできる。
【００１３】
【実施例】
以下、本発明に係る実施例を図に基づいて説明する。
図１〜図３は本発明に係る一実施例を示す図であって、図１は本発明に係る一実施例の他用途組み換え可能なベビーベッドの全体斜視図であり、図２は図１のベビーベッドをベンチに組み換えた斜視図であり、図３は図１のベビーベッドをラックに組み換えた斜視図である。このベビーベッド１は、後桟枠２、後側桟枠３、前側桟枠４、前桟枠５、ベッド用底板６、収納用底板７、支持柱８及びキャスター９によって構成され、ネジ（図示省略）によって連結組み立てられている。このベビーベッド１は、分解して組み換えることにより、図２に示すようなベンチ１１、或いは図３に示すようなラック１３として再利用することができるものである。
【００１４】
このベビーベッド１は、上記後桟枠２、後側桟枠３、前側桟枠４及び前桟枠５によって囲撓枠１５を形成し、この囲撓枠１５の内側中間部にベッド用底板６を設けると共に、囲撓枠１５の内側底部に２枚の収納用底板７を並設し、更に囲撓枠１５の下部四隅にキャスター９を設けたものである。
【００１５】
より具体的に説明すると、上記ベビーベッド１を構成する上記後桟枠２は、長方形状の枠２ａの長手方向に所定間隔を以て多数の桟２ｂを並設したものである。
【００１６】
また、上記後側桟枠３及び前側桟枠４は同一形状のものであって、各２枚づつの合計４枚からなる。この後側桟枠３又は前側桟枠４は、Ｔ定規状の桟枠本体３ａ（４ａ）と、この桟枠本体３ａ（４ａ）の底部に設けた底枠３ｂ（４ｂ）と、この底枠３ｂ（４ｂ）の両端から桟枠本体３ａ（４ａ）の上部両端にかけて立設した縦枠３ｃ（４ｃ）と、縦枠３ｃ（４ｃ）と桟枠本体３ａ（４ａ）との間に立設した縦桟３ｄ（４ｄ）とによって形成されている。各後側桟枠３及び前側桟枠４と上記後桟枠２は、ほぼ同じ高さである。
【００１７】
また前桟枠５は、上記後桟枠２と同じ長さ、高さであって、ベビーベッド１を組み立てた時に後桟枠２と所定間隔を以て対峙し、上記両前側桟枠４の間に横設されるものである。この前桟枠５は上部桟枠５ａと下部桟枠５ｂとからなり、上部桟枠５ａ及び下部桟枠５ｂの高さは、上記前側桟枠４のほぼ半分の高さである。
【００１８】
この上部桟枠５ａは、長方形状の枠５ｃの内側に長手方向に所定間隔を以て多数の桟部材５ｄを設けたものである。
【００１９】
また、下部桟枠５ｂは、両前側桟枠４の前端側の中央から下に横設されるものであり、上枠部材５ｅ、下枠部材５ｆ、多数の縦桟５ｇ及び矩形状の内桟枠５ｈとからなる。上記上枠部材５ｅは両前側桟枠４の前端側の中央部に横設され、下枠部材５ｆは両前側桟枠４の前端側の下端に横設されている。また、この上枠部材５ｅと下枠部材５ｆとの間には、所定間隔を以て１対の縦枠５ｉが立設してある。この１対の縦枠５ｉと上記上枠部材５ｅ及び下枠部材５ｆで囲撓される空間に内桟枠５ｈが配されている。この内桟枠５ｈは下枠５ｊと上枠５ｋと桟５ｌからなり、蝶番（図示省略）によって下枠部材５ｆに下枠５ｊが枢着され、この内桟枠５ｈを手前に引くことによって開くことができるようにしてある。
【００２０】
上記上枠部材５ｅの上には上部桟枠５ａが配設され、この上部桟枠５ａは蝶番１０によって枢着され、この上部桟枠５ａを手前に引くことによってベビーベッド１の上側を任意に開けることができるようにしてある。上部桟枠５ａはピン５ｍによって支持柱８に固定できるようにしてある。
【００２１】
また、上記ベッド用底板６は、後桟枠２、２枚の後側桟枠３、２枚の前側桟枠４、支持柱８及び前桟枠５の上部桟枠５ａによって囲撓された各枠の内周に隣接する矩形状の板部材である。尚、この底板６は強度的に丈夫であれば２枚以上の板部材を使用してもよい。
【００２２】
また、収納用底板７は、後桟枠２、２枚の後側桟枠３、２枚の前側桟枠４、支持柱８及び前桟枠５の下部桟枠５ｂによって囲撓された枠の内側に配設される矩形状の２枚の板部材からなる。この収納用底板７は後述するベンチ７に組み換えた時、ベンチシート部分となるため、上面に弾性部材を設けたものにするのが好ましい。
【００２３】
支持柱８は、ベビーベッド１の四隅に配設され、後桟枠２、後側桟枠３、前側桟枠４及び前桟枠５を支持している。この各支持柱８の下端にはキャスター９が設けられ、ベビーベッド１を簡単に移動させることができるようにしてある。
【００２４】
尚、上記したベビーベッド１を構成する各部材は、ネジ（図示省略）によって接続され、ネジを外すことによって簡単に分解できるようにしてある。
【００２５】
上述のような構成からなるベビーベッド１にあっては、通常はベッドとしてベッド用底板６上に布団等を敷き、その上に乳児を寝かせる。またベッド用底板６の下方の収納用底板７上には、肌着や小物雑貨品を収納することができる。
【００２６】
上記のベビーベッド１が不要になった時には、このベビーベッド１を一旦分解した後、図２に示すようなベンチ１１に組み換えて再利用することができる。すなわち、図１に示すベビーベッド１からベッド用底板６と両後側桟枠３と２枚の収納用底板７及び各キャスター９を除去し、両前側桟枠４と前桟枠５とによって平面コ状に形成されている桟枠１２に後桟枠２を接続し、矩形状の桟枠１４を形成し、この桟枠１４の中間部に除去した上記収納用底板７の一方を配設する。またこの収納用底板７の上側の後桟枠２部分に、もう一方の収納用底板７を配設して背もたれ板としてもよい。（図２に仮想線で示す。）勿論、図示のように収納用底板７を背持たれ板としなくともよい。
【００２７】
そして前桟枠５の上部桟枠５ａは、ピン５ｍを外して手前に倒して下部桟枠５ｂ側に垂らす。このようにしてベンチ１１を組み立てる。
【００２８】
尚、ベビーベッド１から両前側桟枠４、ベッド用底板６及びキャスター９を除去し、他の部材を再組み立てして上記のベンチ１１を組み立ててもよい。
【００２９】
上述のようにしてベビーベッド１をベンチ１１とすることにより、腰掛け部分の収納用底板７に座蒲団やクッション等を載せて腰をかけることにより、不要と成ったベビーベッド１もベンチとして再利用することができる。
【００３０】
また、上記のベビーベッド１をラック１３に組み換えることもできる。すなわち、図３に示すように上記ベンチ１１の後桟枠２に設けた背持たれ板である収納用底板７を外し、このベンチ１１の上部内側に図示のようにネジ（図示省略）で固定することにより、２段のラック１３にすることができる。
【００３１】
尚、上記の実施例では前桟枠５の上部桟枠５ａは下部桟枠５ｂと蝶番１０によって連結され、上部桟枠５ａを手前に引いて下部桟枠５ｂに沿って垂らすように構成されたものであるが、前桟枠５は上部桟枠５ａと下部桟枠５ｂとに分割形成され、ベンチを形成するときは上部桟枠５ａを除去できるようにしたものであってもよい。また、ラックを形成するときは、前桟枠５の上部桟枠５ａと下部桟枠５ｂを除去してもよい。
【００３２】
【発明の効果】
以上、上記説明でも明らかなように、本発明の請求項１に記載の他用途組み換え可能なベビーベッドでは、通常はベビーベッドとしてベッド用底板に敷ふとん等を敷いて乳児を寝かせる。また、キャスターが付いているので押すことによって簡単に所望の場所に移動させることができる。
【００３３】
また、このベビーベッドが不要になった時には、このベッドを分解してベッド用底板と両前側桟枠又は両後側桟枠と収納用底板及び各キャスターを除去して、組み換えることによってベンチを構成することができ、ベビーベッドが不要になった時にはベンチとして使用することができる。
【００３４】
また、ベビーベッドをベンチとして組み換えた後に、このベンチの内側上部に収納用底板を設けることによってラックとして使用することができ、各種の雑誌や書籍、小物雑貨の整理棚として非常に便利である。
【００３５】
また、本発明の請求項２に記載の他用途組み換え可能なベビーベッドでは、請求項１の発明と同様に、通常はベビーベッドとしてベッド用底板に敷ふとん等を敷いて乳児を寝かせる。キャスターを有していないので、手で押して移動させることは困難であるが、所望の場所に設置すれば、乳児が激しく動くようなことがあっても、ベッドが自然に動いてしまうといった心配がない。
【００３６】
また、このベビーベッドが不要になった時には、上記同様にベンチとして使用することができる。
【００３７】
また、ベビーベッドをベンチとして組み換えた後に、このベンチの内側上部に収納用底板を設けることによってラックとして使用することができ、各種の雑誌や書籍、小物雑貨の整理棚として非常に便利である。
【図面の簡単な説明】
【図１】本発明に係る一実施例のベビーベッドの斜視図である。
【図２】本発明に係る一実施例のベビーベッドを組み換えてベンチとした斜視図である。
【図３】本発明に係る一実施例のベビーベッドを組み換えてラックとした斜視図である。
【符号の説明】
１  ベビーベッド
２  後桟枠
３  後側桟枠
４  前側桟枠
５  前桟枠
６  ベッド用底板
７  収納用底板
８  支持柱
９  キャスター
１１  ベンチ
１２  桟枠
１３  ラック
１５  囲撓枠
【図１】
0003591785.tif 000002
【図２】
0003591785.tif 000003
【図３】
0003591785.tif 000004